(57)【要約】【課題】棧材の結合部分が破壊されると、これを機械的に検出して発音装置で警報を発する防犯面格子の桟材に対して、発音装置の電源となる電池を防水状態で格納することができ、電池の交換作業が簡単に能率よく行える面格子への電池ユニット取付け装置を提供する。【解決手段】防犯面格子１における桟材の後面で長さ方向の途中に、蓋板２ｂを長さ方向の両側に切り離した開口部４７を設け、開口部４７から桟材の内部に出し入れ可能となる大きさに形成された電池ユニット１１の後部側に、前記開口部４７を蓋板２ｂと同じ外面形状で閉鎖する背板４１を設け、前記電池ユニット１１に開口部４７から挿入して蓋板２ｂの内面側に配置する取付け板４３を設け、蓋板２ｂに設けた透孔４８から取付け板４３のねじ孔５０にねじ込んだビス４９で電池ユニット１１を固定化する。【選択図】図７
2007315125.tif 000002
【特許請求の範囲】
【請求項１】
後面が開放した中空材の開放面を蓋板で閉鎖した桟材を用いて構成された面格子において、前記桟材の後面で長さ方向の途中に、蓋板を長さ方向の両側に切り離した開口部を設け、開口部から桟材の内部に出し入れ可能となる大きさに形成された電池ユニットの後部側に、前記開口部を蓋板と同じ外面形状で閉鎖する部分を設け、前記電池ユニットに開口部から挿入して蓋板の内面側に配置する取付け板を設け、蓋板に設けた透孔から取付け板のねじ孔にねじ込んだビスで電池ユニットを固定化するようにしたことを特徴とする面格子への電池ユニット取付け装置。
【請求項２】
上記電池ユニットは、その取外し時に、蓋板の透孔から取付け板を押し込むことにより、開口部を蓋板と同じ外面形状で閉鎖する部分の中空材に当接する端縁部を支点に回動して開口部から外部に突出し、桟材の内部から取出すことができるようになっていることを特徴とする請求項１に記載の面格子への電池ユニット取付け装置。
【請求項３】
上記面格子が、棧材の内部に、ピンジャックの引き抜きによって発音が発生する発音装置と、前記ピンジャックと接続した可撓条を組み込み、この可撓条を棧材の交差部分において相手棧材と、棧材の交差結合部分が破壊されたときに可撓条が引っ張られるように接続して形成され、上記電池ユニットに収納した電池が発音装置の電源になるよう電池と発音装置が電気的に接続されていることを特徴とする請求項１又は２に記載の面格子への電池ユニット取付け装置。
【発明の詳細な説明】
【技術分野】
【０００１】
この発明は、建物における窓等の開口部分の室外側に取り付け、外部からの侵入を防ぐために用いる面格子、更に詳しくは、面格子の一部を破壊して侵入しようとした場合に、これを検知して発音装置が警報音を発することにより外部からの侵入を確実に防止することができるようにした防犯面格子において、前記発音装置の電源となる電池ユニットを面格子の桟材に対して着脱自在に取付けるための面格子への電池ユニット取付け装置に関する。
【背景技術】
【０００２】
建物における窓等の開口部分には、外部から室内への侵入を防ぐために、室外側に面格子を取り付けることが行われており、このような面格子は、外部からの侵入を困難にすることで防犯のために大きく貢献している。
【０００３】
上記面格子としては、複数本の縦棧と横棧の組み合わせからなる棧形の面格子と、周枠内に棧材を縦、横、斜め等に配置した枠形の面格子が多く採用されており、一般的にこのような面格子は、アルミ型材を材料に用いて組み立てられている。
【０００４】
従来、上記のような面格子の防犯機能を向上させる方法として、面格子の上部で適当な位置に人体感知センサを取り付け、面格子に対して人が接近すると、これを感知して開錠を阻止するようにしたものが提案されている（例えば、特許文献１参照）。
【０００５】
上記のような、人体感知センサによる人の接近を感知する方法は、感知の範囲に制限があり、感知範囲外の部分で面格子の取り外しや破壊が行われる危険性があり、また、外部から人体感知センサが作動しないように処理することも技術的に可能となるので、安全性の面で十分なものとはいえない。
【０００６】
ところで、縦棧と横棧の組み合わせからなる棧形の面格子や、周枠内に棧材を縦、横、斜め等に配置した枠形の面格子において、この面格子を破壊して室内に侵入しようとする場合、棧形や枠形の面格子の構造上、室外側に位置する棧材を建物躯体側に固定された棧材や周枠から取外す方法が最も簡単であり、実際にこのような方法での室内への侵入犯罪が増加している。
【０００７】
具体的には、縦棧と横棧のビスやカシメ鋲による交差結合部分や、周枠に対する棧材の結合部分に、ドライバー等の工具を差し込んでこの結合部分を破壊し、室外側の棧材を取外すことで人が通れる条件をつくり、この後、ガラスを割って窓等を開放することにより、室内に侵入するものであり、このような荒手の犯罪により、面格子を取り付けていても安心することができない事態になっている。
【０００８】
このような面格子の破壊による侵入を確実に防ぐため、縦棧と横棧の組み合わせからなる棧形の面格子や、周枠内に棧材を縦、横、斜め等に配置した枠形の面格子において、縦棧と横棧や周枠と棧材の結合部分が破壊されると、これを機械的に検出して発音装置で警報を発し、家人や近隣の人に知らせることにより、外部から侵入する犯罪を未然に防止することができる安全性の高い防犯面格子を本出願人がすでに提案した（例えば、特許文献２参照）。
【０００９】
上記の防犯面格子は、複数の縦棧と横棧を交差させ、その交差させた部分を締結部材で結合して組み立てた面格子において、前記縦棧と横棧の何れか一方の中空となる内部に、ピンジャックの引き抜きによって発音が発生する発音装置と、前記ピンジャックと接続した可撓条を組み込み、この可撓条を前記縦棧と横棧の交差部分において縦棧と横棧の何れか他方と、前記縦棧と横棧の何れか一方に対して他方が締結部材の破壊によって取外されたときに可撓条が引っ張られるように接続し、この可撓条が引っ張られるとピンジャックが抜けて発音装置が発音するようにした構造になっている。
【００１０】
この防犯面格子は、上記縦棧と横棧又は周枠と棧材が破壊されると発音装置が発音して警報を発することになり、この発音で家人や近隣の人に面格子の破壊行為を知らせることにより、侵入せんとするものが逃げ出すことになり、防犯面格子を破壊して外部から侵入しようとする犯罪を未然に防止することができ、安全性の優れた防犯面格子となる。
【００１１】
また、発音装置や可撓条は防犯面格子における棧材や周枠の内部に収納されているので、防犯面格子の外部からその存在が全く分からず、防犯面格子の意匠や美観を損なわないと同時に、外部から発音装置を作動しないようにしたり、可撓条を切断する等の事前の処理が困難になり、防犯面格子は常時発音機能を維持しているので安全性の確保が確実に行えるという利点がある。
【特許文献１】特開２００２−１８０７２７号公報
【特許文献２】特願２００５−３２７７６４号
【発明の開示】
【発明が解決しようとする課題】
【００１２】
ところで、上記のような防犯面格子は、発音装置を作動させるための電源として電池が必要になり、このため、防犯面格子を構成する桟材の内部に前記電池を外部から見えないように格納しなければならないことになる。
【００１３】
また、電池は消耗品であり、経時的に自然消耗して寿命がくるため、定期的な取換えを行わなければならず、このため、桟材内に電池を簡単に取外すことができないように格納しなければならないことになる。
【００１４】
上記のような先行の特許出願では、桟材の後面で蓋板の途中に設けた開口部を蓋体で開閉自在とし、この開口部から桟材の内部に電池を収納し、通常は蓋体を閉じておくことで電池が外部から見えないようにし、電池の取換え時には、蓋体を開いて開口部からの電池の出し入れを行うものである。
【００１５】
しかし、電池を桟材内に直接収納する構造は、桟材内に浸入した雨水で電池が濡れ、電池の機能を短期間で劣化させることになり、また、狭い開口部から電池を出し入れするのは、電池の交換に手間がかかることになり、このような点で改善の余地が見出された。
【００１６】
そこで、この発明の課題は、棧材の結合部分が破壊されると、これを機械的に検出して発音装置で警報を発する防犯面格子において、桟材に対して発音装置の電源となる電池を防水状態で格納することができ、水濡れによる電池の劣化発生を防ぐだけでなく、電池の交換作業が簡単に能率よく行える面格子への電池ユニット取付け装置を提供することにある。
【課題を解決するための手段】
【００１７】
上記のような課題を解決するため、この発明は、後面が開放した中空材の開放面を蓋板で閉鎖した桟材を用い、この桟材を組合わせることによって構成された面格子において、前記桟材の後面で長さ方向の途中に、蓋板を長さ方向の両側に切り離した開口部を、電池ユニットが出し入れできる大きさに設ける。
【００１８】
この開口部から桟材の内部に出し入れ可能となる電池ユニットの後部側に、前記開口部を蓋板と同じ外面形状で閉鎖する部分を設け、電池ユニットを桟材の内部に納めて開口部を閉じた状態で桟材の裏面は、全長が同一形状となるようにする。
【００１９】
上記電池ユニットの一端側に開口部から挿入して蓋板の内面側に配置する取付け板を設
け、蓋板に設けた透孔から取付け板のねじ孔にねじ込んだビスで電池ユニットを固定化するようになっている。
【００２０】
また、電池ユニットは、その取外し時に、蓋板の透孔から取付け板を押し込むことにより、開口部を蓋板と同じ外面形状で閉鎖する部分の中空材に当接する端縁部を支点に回動して開口部から外部に突出し、桟材の内部から取出すことができるようになっている。
【００２１】
更に、上記防犯面格子が、棧材の内部に、ピンジャックの引き抜きによって発音が発生する発音装置と、前記ピンジャックと接続した可撓条を組み込み、この可撓条を棧材の交差部分において相手棧材と、棧材の交差結合部分が破壊されたときに可撓条が引っ張られるように接続して形成され、上記電池ユニットに収納した電池が発音装置の電源になるよう電池と発音装置が電気的に接続されている構造とすることができる。
【００２２】
ここで、上記可撓条は、細い金属製のワイヤーや強度のある合成樹脂の糸等を用い、これを縦棧や棧材に固定したリング金具のような挿通部材に通すことにより、縦棧や棧材が取外された時に挿通部材で可撓条が外に引っ張られ、この引張りによってピンジャックが発音装置から抜け、発音装置は接点が閉じることによってブザーに通電となり、警報を発することで家人や近隣の人に知らせ、面格子を破壊して外部から侵入しようとする犯罪を未然に防止する。
【００２３】
また、電池ユニットは、合成樹脂を用い、中空材の開放面を閉鎖する蓋板と略同様の断面形状を有し、開口部を閉鎖する大きさを有する背板の前面側に、その内部に防水コーティングを施した電池が抜き差し自在に収まるよう一端側が開放したケース部を設け、背板のケース部が開口する側の一端に取付け板を設けて形成され、このケース部の開口は蓋によって閉鎖するようになっており、蓋には電池に接続したコードの引き出し用の切り欠きが設けてある。
【発明の効果】
【００２４】
この発明によると、電池ユニットに、桟材の裏側に設けた開口部を閉鎖する部分を設け、蓋板に設けた透孔から取付け板のねじ孔にねじ込んだビスで電池ユニットを固定化するようにしたので、桟材に対して発音装置の電源となる電池を防水状態で格納することができ、水濡れによる電池の劣化発生を防ぐだけでなく、桟材の外形を変化させることがないので、電池の収納部分が面格子の正面からはわからなくなり、電池の破壊行為を防げるので発音機能を維持することができ、防犯面格子の機能を保つことができる。
【００２５】
また、電池ユニットは、その取外し時に、先の細い工具の先で蓋板の透孔から取付け板を押し込むことにより、開口部を蓋板と同じ外面形状で閉鎖する部分の中空材に当接する端縁部を支点に回動して開口部から外部に突出するので、電池ユニットを指先で挟んで桟材の内部から取出すことができ、電池の交換作業が簡単に能率よく行えることになる。
【発明を実施するための最良の形態】
【００２６】
以下、この発明の実施の形態を図示例と共に説明する。
【００２７】
図１乃至図５は、防犯面格子の第１の実施の形態を示し、棧形の面格子１は、上下に所定の間隔で平行配置した横棧２と、上下横棧２間の前面に一定の間隔で配置した多数本の縦棧３の組み合わせからなり、横棧２と各縦棧３の交点はビスやリベット等の締結部材４によって結合されている。
【００２８】
上記横棧２は、図２乃至図５のように、室内側に向く後面が全長にわたって開放し、室外側に向く面の上下コーナが弧状となるアルミ製桟材２ａの開放面を同じくアルミ製の蓋板２ｂで閉鎖した断面筒形に形成され、蓋板２ｂは上下縁に設けた溝を桟材２ａの開口縁に嵌め込んで長さ方向に挿入することによって取付けられ、この横棧２の両端はキャップ５によって閉鎖されている。
【００２９】
また、縦棧３は、図４や図５のように、室外側に向く面が弧状となる筒形断面のアルミ型材で形成され、上下両端はキャップ３ａによって閉鎖され、交差する横棧２との交点が外部から隠蔽状となる上記締結部材４によって結合される。
【００３０】
上記の防犯面格子１において、上下に位置する横棧２の内部に、ピンジャック６の引き抜きによって発音が発生する発音装置７と、一端をこのピンジャック６と接続した可撓条８を組み込み、この可撓条８を前記縦棧３と横棧２の交差部分において縦棧３と、前記横棧２に対して縦棧３が締結部材４の破壊によって取外されたときに可撓条８が引っ張られるように接続し、この可撓条８が引っ張られるとピンジャック６が抜けて発音装置７が発音するようになっている。
【００３１】
上記可撓条８は、細い金属製のワイヤーや強度のある合成樹脂の糸等を用い、横棧２の長さ方向に沿って配置され、また、発音装置７は、図８（ｂ）のように、ピンジャック６の挿入によって接点９ａ、９ｂが開き、図８（ａ）のように、ピンジャック６が抜けると接点９ａ、９ｂが閉じるスイッチ機構９と、ブザーを用いた発音器１２と、この発音器１２の励振回路１３と、コンデンサ１４等からなり、これらの構成部材を一つの基板１５に取付けた構造になっており、電源となる電池ユニット１１と電気的に接続される。
【００３２】
上記縦棧３と横棧２の交点は、図５のように、横棧２の内部側からのビスやカシメ鋲による締結部材４によって外部から隠蔽状になるよう結合され、各縦棧３の横棧２に対する交点には、横棧２に設けた孔１６から横棧２内に突出するようにリング金具のような可撓条８の挿通部材１７がビスやカシメ鋲によって固定されている。
【００３３】
上記可撓条８は、横棧２内に突出する各挿通部材１７の透孔に順次通すように弛みのない状態で配置し、ピンジャック６と反対側の自由端部は、横棧２の一方端部側の位置において、図３のように横棧２に直接固定するか、又は一方端部に位置する挿通部材１７に結合し、また、発音装置７は、横棧２の内部で他方端部側の位置に配置し、その基板１５を短い可撓条８で横棧２に直接固定するか、他方端部に位置する挿通部材１７に結合されている。
【００３４】
上記のような可撓条８と発音装置７の配置により、可撓条８は自身の長さ方向に移動可能な状態で各縦棧３と挿通部材１７で連結され、何れかの縦棧３が締結部材４の破壊によって横棧２から取外されると、挿通部材１７を介して可撓条８が孔１６から横棧２の外側に引っ張られることになり、この可撓条８に長さ方向の引張り力が加わると、連結したピンジャック６がスイッチ機構９から抜けて接点９ａ、９ｂが閉じ、電池１０から発音器１２に通電となって発音装置７が発音することになる。
【００３５】
図１乃至図３の場合、防犯面格子１は、上下の横棧２をブラケット１９で窓用サッシ２０の突条２１に取付けることで建物躯体側に固定する例を示したが、これとは別に、両側に配置した縦棧３を窓用サッシや建物躯体に固定するようにし、この縦棧３の前面に多数の横棧２を並べて固定した棧形の面格子であってもよく、この場合、可撓条８と発音装置７、電池ユニット１１は縦棧３内に収納すればよい。
【００３６】
図１１乃至図１４は、防犯面格子の第２の実施の形態として、枠形の面格子を用いた例を示し、図１１に示す例の防犯面格子１は、上枠材３１と下枠材３２及び両側の側枠材３３で矩形状に組み立てられた枠部材３４の内側に多数本の縦棧３５を一定間隔の配置で固定し、図１２に示す例の防犯面格子１は、前記と同様の枠部材３４の内側に多数本の横棧３６を一定間隔の配置で固定し、図１３に示す例の防犯面格子１は、同じく枠部材３４の内側に多数本の傾斜棧３７を一定間隔の配置で交差するように固定し、図１４に示す例の防犯面格子１は、同じく枠部材３４の内側に多数本の縦棧３５と横棧３６を一定間隔の配置で交差するように固定した構造になっている。
【００３７】
これら、枠形の面格子１において、枠部材３４を構成する中空材の上枠材３１と下枠材３２及び両側の側枠材３３の何れか若しくは全ての内部に、可撓条８と発音装置７及び電池ユニット１１が配置されている。
【００３８】
上記縦棧３５や横棧３６及び傾斜棧３７の端部は、上述した棧形の防犯面格子の場合と同様、枠部材３４の構成材に対してビスやカシメ鋲による締結部材で結合され、この結合部分における縦棧３５や横棧３６及び傾斜棧３７の端部には、枠部材３４の構成材に設けた孔から枠部材内に突出するようにリング金具のような可撓条８の挿通部材がビスやカシメ鋲によって固定され、可撓条８は、枠部材３４の構成材内に突出する各挿通部材に順次通すように弛みのない状態で配置し、ピンジャックと反対側の自由端部は、枠部材３４の構成材の一方端部側の位置において、枠部材３４の構成材に固定するか一方端部の挿通部材に結合し、また、発音装置７は、枠部材３４の構成材の内部で他方端部側の位置に配置し、その基板１５が枠部材３４の構成材に固定するか他方端部の挿通部材に結合されている。
【００３９】
なお、図示省略したが、何れの実施形態においても、防犯面格子１の適当な位置に、電池が寿命になると、これを知らせるための電源切れの表示ランプを設けるようにすることができる。
【００４０】
上記した発音装置７の電源となる電池ユニット１１は、図６と図７のように、合成樹脂を用い、横桟の開放面を閉鎖する蓋板２ｂと略同様の断面形状を有する背板４１の前面側に、その内部に防水コーティングを施した電池１０が抜き差し自在に収まるよう一端側が開放したケース部４２を設け、背板４１のケース部４２が開口する側の一端に取付け板４３を設けて形成され、このケース部４２の開口は蓋４４によって閉鎖するようになっており、蓋４４には電池１０に接続したコード４５の引き出し用切り欠き４６が設けてある。
【００４１】
この電池ユニット１１を横桟２内に組み込むため、横桟２の後面で長さ方向の途中の発音装置７に近接する位置に、蓋板２を長さ方向の両側に切り離した開口部４７を設け、この開口部４７は、ケース部４２が出し入れ可能となり、背板４１が丁度収まる幅で開口し、背板４１は上下部が横桟２の桟材２ａに対して後部外面に蓋板２ｂと同じ条件で重なることにより、横桟２に取付けた電池ユニット１１の背板４１の外面と蓋板２ｂの外面は同一面で連続するように仕上がり、面格子１において、電池ユニット１１の存在が判りにくくなるようにしている。
【００４２】
上記電池ユニット１１の一端側に突設され、横桟２の開口部４７から挿入して蓋板２ｂの内面側に配置する取付け板４３には、蓋板２ｂに設けた透孔４８から挿入したビス４９をねじ込むねじ孔５０が設けられ、このビス４９で電池ユニット１１を横桟２の蓋板２ｂに固定化するようになっている。
【００４３】
なお、上記透孔４８はねじ孔５０よりも少し大径とし、電池ユニット１１を横桟２から取外す時に、先の細い工具５４で蓋板２ｂの透孔４８から取付け板４３を押し込むことにより、背板４１の横桟２に当接する端縁部を支点に電池ユニット１１を回動させて開口部４７から外部に突出させ、電池ユニット１１を桟材２ａの内部から取出すことができるようにしている。
【００４４】
上記横桟２に取付けた電池ユニット１１のコード４５と発音装置７のコード５１は、抜き差しできる一対のジャック５２と５３で電気的に接続するようになっている。
【００４５】
なお、枠形の防犯面格子１において、電池ユニット１１は、枠部材３４を構成する枠材に上記と同様の構造で取付けるようにする。
【００４６】
この発明の防犯面格子面への電池ユニット取付け装置は、上記のような構成であり、次に、図１乃至図５の第１の実施の形態と図６乃至図１０を用いて取付け及び取外しの作用を説明する。
【００４７】
図２と図３のように、防犯面格子１を建物の開口部における室外側に取り付け、開口部からの侵入を阻止して防犯を担うものである。
【００４８】
上記防犯面格子１における横桟２の開口部４７には、図９（ａ）乃至（ｃ）に示す手順で電池ユニット１１が専用の工具５４でねじ込むようにしたビス４９で取付けられ、電池ユニット１１のケース部４２内に収納した電池１０がコード４５、５１とジャック５２、５３で発音装置７と電気的に接続されている。
【００４９】
建物の開口部における室外側に防犯面格子１を取付けた通常の状態で、ピンジャック６がスイッチ機構９に挿入され、図８（ｂ）の回路図に示すように接点９ａ、９ｂは開状態となり、発音器１２に対する通電がオフとなっている。
【００５０】
上記の状態で防犯面格子１の縦棧３と横棧２を結合する締結部材４を工具で破壊して外部から侵入しようとすると、縦棧３が横棧２から取外されることにより、取外された縦棧３に固定した挿通部材で可撓条８が孔１６から横棧２の外側に引っ張られることになり、この可撓条８に引張り力が加わると、図８（ａ）のように可撓条８に連結したピンジャック６がスイッチ機構９から抜けて接点９ａ、９ｂが閉じ、電池１０から発音器１２に通電となって発音装置７が発音することになり、この発音で侵入せんとするものが逃げ出すか、家人や近隣の人に侵入を知らせることにより、防犯面格子１を破壊して外部から侵入する犯罪を未然に防止することができ、安全性の高い防犯面格子となる。
【００５１】
なお、発音装置７の基板１５を縦棧３に接続した配置において、この縦棧３が取外された場合、固定となる可撓条８に対して発音装置７が移動することにより、ピンジャック６からスイッチ機構９が抜け、上記と同様に発音が生じることになる。
【００５２】
上記電池ユニット１１の電池１０を交換する場合は、図１０（ａ）のように、ビス４９を取り外した後、先の細い工具５４で蓋板２ｂの透孔４８から取付け板４３を押し込むことにより、図１０（ｂ）のように背板４１の桟材２ａに当接する端縁部を支点に電池ユニット１１を回動させて開口部４７から外部に突出させ、電池ユニット１１を指先で桟材２ａの内部から取出すようにし、ケース部４２の蓋４４を外して内部の電池１０を新たなものと交換すればよく、交換後の電池ユニット１１は、図９（ａ）乃至（ｃ）に示した手順で横桟２に取付けるようにすればよい。
【００５３】
なお、上記発音器１２の発音を止めるには、図１０（ａ）と（ｂ）のように、開口部４７を開いて電池ユニット１１を取外し、コード４５、５１のジャック５２、５３を切り離して通電を切るようにすればよい。
【図面の簡単な説明】
【００５４】
【図１】電池ユニットを取付ける防犯面格子の第１の実施の形態を示す正面図
【図２】図１の防犯面格子の窓への取り付け状態を示す縦断側面図
【図３】図１の防犯面格子の窓への取り付け状態を示す横断平面図
【図４】（ａ）は図１の防犯面格子の横棧と縦棧の結合部分の構造を示す拡大した縦断側面図、（ｂ）は同部分の斜視図
【図５】横棧の蓋板を外した室内面側から見た面格子の斜視図
【図６】（ａ）は電池ユニットの分解斜視図、（ｂ）は電池ユニットの組み立て状態を示す斜視図
【図７】防犯面格子の横桟と電池ユニットの分解斜視図
【図８】（ａ）は発音装置の発音状態時の回路図、（ｂ）は同上の開回路時のピンジャックとスイッチ機構の状態を示す回路図
【図９】（ａ）は防犯面格子の横桟に対する電池ユニットの取付け前の状態を示す横断平面図、（ｂ）は横桟に対する電池ユニットの取付け途中の状態を示す横断平面図、（ｃ）は横桟に対する電池ユニットの取付け状態を示す横断平面図
【図１０】（ａ）は防犯面格子の横桟に対する電池ユニットの取外し前の状態を示す横断平面図、（ｂ）は横桟に対する電池ユニットの取外し途中の状態を示す横断平面図
【図１１】この発明に係る防犯面格子の第２の実施の形態を示す縦棧タイプの枠形面格子の正面図
【図１２】防犯面格子の横棧タイプの枠形面格子を示す正面図
【図１３】防犯面格子の傾斜棧タイプの枠形面格子を示す正面図
【図１４】防犯面格子の縦棧と横棧が交差するタイプの枠形面格子を示す正面図
【符号の説明】
【００５５】
１        防犯面格子
２        横棧
３        縦棧
４        締結部材
５        キャップ
６        ピンジャック
７        発音装置
８        可撓条
９        スイッチ機構
１０      電池
１１      電池ユニット
１２      発音器
１３      励振回路
１４      コンデンサ
１５      基板
１６      孔
１７      挿通部材
１８      蓋部材
１９      ブラケット
２０      窓用サッシ
２１      突条
３１      上枠材
３２      下枠材
３３      側枠材
３４      枠部材
３５      縦棧
３６      横棧
３７      傾斜棧
４１      背板
４２      ケース部
４３      取付け板
４４      蓋
４５      コード
４６      切り欠き
４７      開口部
４８      透孔
４９      ビス
５０      ねじ孔
５１      コード
５２      ジャック
５３      ジャック
５４      工具
【図１】
2007315125.tif 000003
【図２】
2007315125.tif 000004
【図３】
2007315125.tif 000005
【図４】
2007315125.tif 000006
【図５】
2007315125.tif 000007
【図６】
2007315125.tif 000008
【図７】
2007315125.tif 000009
【図８】
2007315125.tif 000010
【図９】
2007315125.tif 000011
【図１０】
2007315125.tif 000012
【図１１】
2007315125.tif 000013
【図１２】
2007315125.tif 000014
【図１３】
2007315125.tif 000015
【図１４】
2007315125.tif 000016